(57)【要約】      （修正有）【課題】本発明は、装着感に優れたヘッドバンドを提供する。【解決手段】本発明は、バンドの長手方向の中央部を含むバンド主要部１と、バンドの長手方向の一端にあり被係止部２を有し、バンド主要部１より下に位置する第１のバンド端部３と、バンドの長手方向の他端にあり係止部４を有し、バンド主要部１より下に位置する第２のバンド端部５とを有するヘッドバンドであって、第１の端部３と第２の端部５は直線状であって、ヘッドバンドの装着時、人頭正面で人頭を左右対称に２分する線Ｐにヘッドバンドの展開状態の平面上で直角に交わる線Ｑに対する下への振れ幅Ａが６度から１５度の範囲内にあるヘッドバンドである。【選択図】図１
2019218638.tif 000002
【特許請求の範囲】
【請求項１】
バンドの長手方向の中央部を含むバンド主要部（１）と、
バンドの長手方向の一端にあり被係止部（２）を有し、バンド主要部（１）より下に位置する第１のバンド端部（３）と、
バンドの長手方向の他端にあり係止部（４）を有し、バンド主要部（１）より下に位置する第２のバンド端部（５）を有するヘッドバンドであって、
第１の端部３と第２の端部５は直線状であって、ヘッドバンドの装着時、人頭正面で人頭を左右対称に２分する線（Ｐ）にヘッドバンドの展開状態の平面上で直角に交わる線（Ｑ）に対する下への振れ幅（Ａ）が６度から１５度の範囲内にあるヘッドバンド。
【発明の詳細な説明】
【技術分野】
【０００１】
この発明は、ヘルメットのヘッドバンドの長さの調節が可能なヘッドバンドに関するものである。
【背景技術】
【０００２】
出願人の従来のヘッドバンドの一つとして、例えば、図３に示す通り、バンドの長手方向の中央部を含むバンド主要部１と、両端が枝別れし、バンドの長手方向の一端にあり被係止部２を有し、バンド主要部１より下に位置する第１の端部３と、バンドの長手方向の一端にあり被係止部２を有し、バンド主要部１より上に位置する第３の端部６と、バンドの長手方向の他端にあり係止部４を有し、バンド主要部１より下に位置する第２の端部５と、バンドの長手方向の他端にあり係止部４を有し、バンド主要部１より上に位置する第４の端部７を有するヘッドバンドがある。各端部は、直線状であり、第１の端部３と第２の端部５は、ヘッドバンドの装着時、人頭正面で人頭を左右対称に２分する線Ｐにヘッドバンド展開状態の平面上で直角に交わる線Ｑと並行に設定されており、第３の端部６と第４の端部７は、線Ｑに対して上への振れ幅Ｂが１０度振れるように設定されている。
【０００３】
しかし、第１の端部３と第２の端部５のこのような構成は、端部が直線状であるため、安全帽の装着時に球状の後頭部に対して必ずしも十分に適合されず、後頭部との間に隙間が生じたり、ずれ易く、装着感も好ましいものではないとし、バンド端を円弧状にすることが提案されている（特許文献１）。
【先行技術文献】
【特許文献】
【０００４】
【特許文献１】特開２００４−７６２２２号公報
【発明の概要】
【発明が解決しようとする課題】
【０００５】
本発明は、装着感に優れたヘッドバンドを提供するものである。
【課題を解決するための手段】
【０００６】
本発明は、図３に示す従来のヘッドバンドは、線Ｑに対する振れ角度が０度で適切でなく、ヘッドバンドを頭部に装着したとき、図４に示すが如く、ヘッドバンドの幅方向で中央部より下側が後頭部にうまく、フィットしていないことを見出し、この振れ角度を適切に調節することにより、ヘッドバンドの幅方向の全体が後頭部に適切にフィットすることを見出したものである。
【０００７】
即ち、本発明は、バンドの長手方向の中央部を含むバンド主要部１と、バンドの長手方向の一端にあり被係止部２を有し、バンド主要部１より下に位置する第１のバンド端部３と、バンドの長手方向の他端にあり係止部４を有し、バンド主要部１より下に位置する第２のバンド端部５とを有するヘッドバンドであって、第１の端部３と第２の端部５は直線状であって、ヘッドバンドの装着時、人頭正面で人頭を左右対称に２分する線Ｐにヘッドバンド展開状態の平面上で直角に交わる線Ｑに対する下への振れ幅Ａが６度から１５度の範囲内にあるヘッドバンドである。
【発明の効果】
【０００８】
本発明によれば、装着感に優れたヘッドバンドを提供できる。
【図面の簡単な説明】
【０００９】
【図１】本発明の一実施形態のヘッドバンドの平面図である。
【図２】図１のヘッドバンドを装着したときの説明図である。
【図３】出願人の従来のヘッドバンドの一つ平面図である。
【図４】図３のヘッドバンドを装着したときの説明図である。
【発明を実施するための形態】
【００１０】
以下、図面を参照しながら、本発明について説明する。
図１は、本発明のヘッドバンドの一実施形態を示す平面図である。
該ヘッドバンドは、バンドの長手方向の中央部を含むバンド主要部１を有している。両端は枝別れし、端部が一端に２つある。
【００１１】
第１の端部３は、バンドの一端にあり凹凸表面である被係止部２を有し、バンド主要部１より下に位置する。第３の端部６は、バンドの一端にあり凹凸表面である被係止部２を有し、バンド主要部１より上に位置する。上とは、バンド装着時、バンド主要部１より高い位置であり、下は低い位置である。
第２の端部５は、バンドの他端にあり係止部４を有し、バンド主要部１より下に位置する。第４の端部７は、バンドの一端にあり係止部４を有し、バンド主要部１より上に位置する。
【００１２】
バンドの材質は樹脂であり、バンド主要部と端部は、一体成型されている。第１の端部３と第２の端部５は、ヘッドバンドの装着時、人頭正面で人頭を左右に対称に２分する線Ｐに展開状態で平面上で直角に交わる線Ｑに対する下への振れ幅Ａが８度に設定されている。また、第３の端部６と第４の端部７は、線Ｑに対して上に振れており、その振れ幅Ｂは２０度に設定されている。
【００１３】
図２は、本発明のヘッドバンドを頭部に装着したときの模式図である。ヘッドバンドを頭部に装着したとき、第１の端部３は、第２の端部５の係止部４に、第３の端部６は、第４の端部の係止部４に挿通され、バンドの長さが適切に調整され、固定される。
【００１４】
図２に示すようにヘッドバンドの長手方向の中央部は顔の額部分にあてられる。そうするとバンド主要部１より下に位置する第１の端部３と第２の端部５は後頭部で下（頚部）に向かってなだらかに内側（顔面方向）傾いていく部分に位置することになる。この傾斜角度は人にもよるが、概ね、第１の端部３と第２の端部５の線Ｑに対して下への振れ幅Ａを６度から１５度の範囲で設定すれば、ヘッドバンドの後頭部の密着が適切となる。好ましくは６度から１３度、最も好ましくは、７度から９度である。本実施態様では、前記したように８度に設定されている。
【００１５】
バンド主要部１より上に位置する第３の端部６と第４の端部７は後頭部で上（頭頂部）に向かってなだらかに内側（顔面方向）傾いていく部分に位置することになる。この傾斜角度は人にもよるが、概ね、第３の端部６と第４の端部７の線Ｑに対して上への振れ幅Ｂを１５度から２５度の範囲で設定すれば、ヘッドバンドの後頭部の密着が適切となる。好ましくは１７度から２３度、最も好ましくは、１９度から２１度である。本実施態様では、前記したように２０度に設定されている。
【符号の説明】
【００１６】
１  バンド主要部
２  被係止部
３  第１の端部
４  係止部
５  第２の端部
６  第３の端部
７  第４の端部
Ａ  線Ｑに対する第１の端部と第２の端部の下への振れ幅
Ｂ  線Ｑに対する第３の端部と第４の端部の上への振れ幅
Ｐ  ヘッドバンドの装着時、人頭正面で人頭を左右対称に２分する線
Ｑ  線Ｐとヘッドバンドの展開状態の平面上で直角に交わる線
【図１】
2019218638.tif 000003
【図２】
2019218638.tif 000004
【図３】
2019218638.tif 000005
【図４】
2019218638.tif 000006